(57)【特許請求の範囲】
【請求項１】
庫内の左右側壁にチャンネル状の中空な棚支柱を庫内側に突き出して設置するとともに、該棚支柱の庫内側端面に棚取付穴を開口してここに棚ブラケットを係止固定し、左右の棚支柱の間に跨がり前記棚ブラケットを介して棚板を架設し、前記棚ブラケットが、棚板を担持する棚受片と、該棚受片から側方に突き出して先端が下向きに屈曲した３本の脚片を有する構造になり、その中央の脚片を棚支柱の棚取付穴に差込み、両側の脚片を棚支柱のフランジ面に突き当てて係止保持し、この状態で棚受片に載置した棚板の荷重を担持するようにしたことを特徴とする冷蔵庫の庫内棚取付構造。
【請求項２】
請求項１記載の庫内棚取付構造において、中空な棚支柱の内側にチャンネル状の芯金を組合せ、該芯金とともに棚支柱の下端を庫内の底壁上に当接して設置したことを特徴とする冷蔵庫の庫内棚取付構造。
【請求項３】
請求項１または２記載の庫内棚取付構造において、棚板の左右両端の下面に棚ブラケットと嵌合し合う凹部を切欠き形成したことを特徴とする冷蔵庫の庫内棚取付構造。
【発明の詳細な説明】
【０００１】
【発明の属する技術分野】
本発明は、業務用の大型冷蔵庫を対象に、その冷蔵庫の庫内に配備した庫内棚の取付構造に関する。
【０００２】
【従来の技術】
従来における冷蔵庫では、庫内棚の取付け構造として、庫内の左右側壁にそれぞれ前後２個所に棚板取付穴を開口し、棚板の左右両側縁に突設したフックを前記穴に引っ掛けて棚板を水平姿勢に係止する。あるいは、庫内の左右側壁に水平方向の棚用レールを設け、左右のレールに跨がって棚板を引出し可能に支持するようにした構成のものが公知である。
【０００３】
【発明が解決しようとする課題】
ところで、前記した従来の庫内棚取付構造では、冷蔵庫の保冷性能面で次記のような問題点がある。すなわち、庫内の左右側壁間の間隔と棚板の左右長さ寸法とが殆ど同一であり、棚板の装着状態では庫内空間が上下段に並ぶ棚板が隔壁となって上下に分断された状態に仕切られてしまう。このために棚板が庫内冷気の対流を妨げ、特に棚板の上に物品（食料品）を殆ど隙間なく並べて収容した場合には庫内の上下領域の間に大きな温度差が生じて保冷性能が低下する。
【０００４】
本発明は上記の点に鑑みなされたものであり、その目的は前記課題を解決し、庫内における冷気の対流通路を確保して上下領域の温度差を低く抑えて保冷性能を改善し、併せて棚板に載せた物品の大きな重量荷重にも十分に耐え、しかも棚板を簡単に着脱できるように改良した冷蔵庫の庫内棚取付構造を提供することにある。
【０００５】
【課題を解決するための手段】
上記目的を達成するために、本発明によれば、庫内の左右側壁にチャンネル状の中空な棚支柱を庫内側に突き出して設置するとともに、該棚支柱の庫内側端面に棚取付穴を開口してここに棚ブラケットを係止固定し、左右の棚支柱の間に跨がり前記棚ブラケットを介して棚板を架設するものとし、具体的には次記のよう態様で構成する。
【０００６】
(1)棚ブラケットが、棚板を担持する棚受片と、該棚受片から側方に突き出して先端が下向きに屈曲した３本の脚片を有する構造からなり、その中央の脚片を棚支柱の棚取付穴に差込み、両側の脚片を棚支柱のフランジ面に突き当てて係止保持し、この状態で棚受片に載置した棚板の荷重を３点支持するようにする。
【０００７】
(2)中空な棚支柱の内側にチャンネル状の芯金を組合せ、該芯金とともに棚支柱の下端を庫内の底壁上に当接して設置する。
(3)棚板の左右両端の下面に棚ブラケットと嵌合し合う凹部を切欠き形成する。
【０００８】
上記の取付構造によれば、庫内に棚板を装着した状態では、棚板の左右側縁と庫内の左右側壁との間には棚支柱の突き出し寸法に相応した隙間が残り、この隙間を冷気通路として庫内の上下領域の間に冷気対流が流れるので、これにより庫内が均一に保冷されるようになる。
【０００９】
また、棚ブラケットを前項(1) の構造とすることで、各棚ブラケットごとに棚荷重を棚支柱に対して安定よく３点支持できる。さらに(2) 項の構造により棚支柱の強度が増し、大きな棚荷重にも十分耐える。また、(3) 項の構造を採用することで棚板の着脱操作が簡単に行える。
【００１０】
【発明の実施の形態】
以下、本発明の実施の形態を図１〜図４に示す実施例に基づいて説明する。
まず、図１(a),(b) において、１は断熱筐体としてなる冷蔵庫のキャビネット、２はその前面扉、３はキャビネット１の庫内に配備した棚板であり、該棚板３はキャビネット１の庫内左右側壁に振り分けて庫内側へ突き出すように取付けた合計４本の棚支柱４の間に跨がり、該棚支柱４に係止した棚ブラケット５を介して水平姿勢に支持されており、この装着状態では棚板３の左右両側縁とキャビネット１の左右側壁との間に、庫内の冷気通路として機能する棚支柱４の突き出し高さｈに相応した隙間６が形成される。
【００１１】
ここで、棚支柱４は図２〜図４で詳細構造を示すように、チャンネル状の中空柱としてなり、その庫内側に面する端面には棚取付穴（丸穴）４ａが開口し、長手方向に沿って両側にはフランジ４ｂが張出している。また、図示例では中空な棚支柱４の内側チャンネル状の芯金７を取付けており、前記の棚取付穴４ａと対応する個所に角穴が開口している。そして、棚支柱４は芯金７とともに、その下端が図１(a) で示すようにキャビネット１の庫内底面に当接するようにして設置されている。なお、棚支柱４だけの単独使用で棚荷重に対して十分な機械的強度が確保できる場合には、芯金７を省略することも可能である。
【００１２】
一方、棚ブラケット５は、棚板３を担持する棚受片５ａと、該棚受片５ａから側方に突き出して先端が下向きに屈曲した３本の脚片５ｂ，５ｃを板金加工した金属片としてなり、中央に突き出た短い脚片５ｂを棚支柱４の棚取付穴４ａに差込むとともに、両側に突き出た長い脚片５ｃを棚支柱４のフランジ４ｂに突き当てて係止し、この状態で棚受片５ａの上に載置した棚板３の荷重Ｗ（図４参照）を脚片５ｂ，５ｃで分担して棚支柱４へ３点で安定よく支持するようにしている。なお、図中でＷ1 は脚片５ｂを介して芯金７の開口縁に加わる分担荷重、Ｗ2 は脚片５ｃを介して棚支柱４のフランジ４ｂに加わる分担荷重を表している。
【００１３】
また、図３で表すように棚板３の左右端の下面側には、棚ブラケット５の棚受片５ａの形状に相応した凹部３ａを形成しておき、棚板３の装着状態で前記凹部３ａを棚ブラケット５の棚受片５ａに嵌め合わせ定位置に載置支持するようにしている。
【００１４】
かかる構成により、図１(b) で示すように、キャビネット１の庫内に棚板３を装着した状態でも、棚板３の左右両側縁とキャビネット庫内の左右側壁との間には冷気通路となる隙間６が確保されるので、棚板３により庫内冷気の対流が遮へいされることがなくなり、これにより庫内の上下領域で大きな温度差が発生するのを効果的に防止できる。また、棚板３，および棚板に載せた物品の荷重が棚ブラケット５を介して棚支柱に安定よく担持できる。ここで、棚支柱４はその下端をキャビネット１の底壁に当てて設置することで、棚板３に載せた物品の大きな積載重量にも十分耐える。さらに加えて、棚板３の下面に形成した凹部３ａを棚ブラケット５の棚受片５ａに重ね合わせるだけで、棚板３を簡単に定位置に位置決めして安定よく支持できる。
【００１５】
【発明の効果】
以上述べたように、本発明の構成によれば、庫内の左右側壁にチャンネル状の中空な棚支柱を庫内側に突き出して設置するとともに、該棚支柱の庫内側端面に棚取付穴を開口してここに棚ブラケットを係止固定し、左右の棚支柱の間に跨がり前記棚ブラケットを介して棚板を架設したことにより、庫内に棚板を装着した状態では、棚板の左右側縁と庫内の左右側壁との間には棚支柱の突き出し寸法に相応した隙間が残り、この隙間を冷気通路として庫内の上下領域の間に冷気が流れるので、これにより従来問題となっていた庫内上下領域での温度差を抑えて庫内が均一に保冷されるようになる。また、大きな棚荷重を安定支持でき、かつ棚位置の着脱操作も簡単に行えるなどの実益が得られる。
【図面の簡単な説明】
【図１】本発明実施例の構成図であり、(a) は冷蔵庫の扉開放状態を表す外観斜視図、(b) は庫内の横断平面図
【図２】図１における棚支柱，および棚ブラケットの分解斜視図
【図３】図２の棚支柱に棚ブラケット，棚板を装着した状態の端面図
【図４】図３の一部断面側視図
【符号の説明】
１    冷蔵庫のキャビネット
３    棚板
３ａ  凹部
４    棚支柱
４ａ  棚取付穴
４ｂ  フランジ
５    棚ブラケット
５ａ  棚受片
５ｂ，５ｃ  脚片
７    芯金
【図１】
0004026282.tif 000002
【図２】
0004026282.tif 000003
【図３】
0004026282.tif 000004
【図４】
0004026282.tif 000005